(57)【要約】【課題】  各照射モジュールが互いに異なる光学機能を有していても性能を発揮できる内視鏡用光源システムを提供すること。【解決手段】  第１の光源モジュール２０と照射モジュール５０，７０とが組み合わせられる。組み合わせによって、用途に応じた照明光が照射モジュールから出射される。そして、光軸方向における光源側出射部２３と照射側入射部５１，７１との間の相対距離は、第１の光源モジュール２０に接続する照射モジュール５０，７０に応じて所望に調整される。【選択図】      図１Ａ
2015136545.tif 000002
【特許請求の範囲】
【請求項１】
光源モジュールと、前記光源モジュールに機械的に着脱可能な照射モジュールとが組み合わせられることによって、用途に応じた照明光が出射される内視鏡用光源システムであって、
前記光源モジュールは、
光源光を出射する光源ユニットと、
前記光源光の光学特性を変換して１次出射光として出射する光源側出射部と、
前記光源側出射部の光軸上に配設され、互いに異なる光学機能を有する様々な種類の前記照射モジュールに対して共通化されている光源側接続口部と、
を有し、
前記照射モジュールは、
前記光源側出射部から出射された前記１次出射光が入射する照射側入射部と、
前記照射側入射部が前記光源側出射部と同軸上に配設されて、前記光源側出射部から出射された前記１次出射光が前記照射側入射部に入射するように、前記光源側接続口部と接続する照射側接続部と、
前記照射側入射部に入射された前記１次出射光を導光する導光部材と、
前記導光部材によって導光された前記１次出射光の光学特性を変換して前記照明光として外部に出射する照射側出射部と、
を有し、
光軸方向における前記光源側出射部と前記照射側入射部との間の相対距離は、前記光源モジュールに接続する前記照射モジュールに応じて所望に調整されることを特徴とする内視鏡用光源システム。
【請求項２】
前記１次出射光が入射する前記導光部材の入射端面のサイズは、前記照射モジュール毎に異なることを特徴とする請求項１に記載の内視鏡用光源システム。
【請求項３】
前記光源モジュールは、
前記導光部材が複数の光ファイバ素線が束ねられることで形成されるバンドルファイバを有する前記照射モジュールと、
前記導光部材が単線の光ファイバを有する前記照射モジュールと、
のいずれにも接続可能であることを特徴とする請求項２に記載の内視鏡用光源システム。
【請求項４】
前記照射側接続部が前記光源側接続口部と機械的に接続した際に、前記相対距離は調整されることを特徴とする請求項１乃至請求項３のいずれかに記載の内視鏡用光源システム。
【請求項５】
光軸方向における前記照射側接続部に対する前記照射側入射部の長さが前記照射モジュール毎に異なることによって、前記相対距離は調整されることを特徴とする請求項４に記載の内視鏡用光源システム。
【請求項６】
前記光源側接続口部が前記照射側接続部と接続した際に、光軸方向における前記光源側接続口部に対する前記照射側接続部の接続位置が前記照射モジュール毎に異なることによって、前記相対距離は調整されることを特徴とする請求項４に記載の内視鏡用光源システム。
【請求項７】
前記光源モジュールは、前記光源側接続口部が前記照射側接続部と接続した際に、前記光源モジュールに接続する前記照射モジュールに応じて前記相対距離が調整されるように、前記光源側出射部を前記光源モジュールに接続した前記照射モジュールに応じて光軸方向に移動させる移動部を有することを特徴とする請求項４に記載の内視鏡用光源システム。
【請求項８】
前記光源側出射部は、前記光源側接続口部が前記照射側接続部と接続した際に、前記１次出射光を前記照射側入射部の所望する部分に集光する集光部材を有することを特徴とする請求項４に記載の内視鏡用光源システム。
【請求項９】
バンドルファイバを有する前記照射モジュールが前記光源モジュールに接続した際に、前記照射側入射部が前記集光部材により集光した前記１次出射光の集光位置に対して離れるように、前記相対距離は調整され、
単線ファイバを有する前記照射モジュールが前記光源モジュールに接続した際に、前記照射側入射部が前記集光部材により集光した前記１次出射光の集光位置に対して近づくように、前記相対距離は調整されることを特徴とする請求項８に記載の内視鏡用光源システム。
【請求項１０】
バンドルファイバを有する前記照射モジュールと単線ファイバを有する前記照射モジュールとのいずれかが前記光源モジュールに接続した際は常に、前記照射側入射部に入射する前記１次出射光の光束径が単線の光ファイバのコア径よりも大きくまた略５ｍｍ以下となるように、前記相対距離は調整される特徴とする請求項８に記載の内視鏡用光源システム。
【請求項１１】
前記光源モジュールは、前記光源光を平行光に変換する平行部材をさらに有し、
前記平行部材は第１のレンズを有し、前記集光部材は第２のレンズを有し、
１．５＜前記第２のレンズの焦点距離ｆ２／前記第１のレンズの焦点距離ｆ１＜２．５であることを特徴とする請求項８に記載の内視鏡用光源システム。
【請求項１２】
前記光源モジュールは、前記光源ユニットと前記光源側出射部とが固定されるように前記光源ユニットと前記光源側出射部とを一体に保持する保持部材をさらに有し、
前記保持部材は、前記照射側入射部が前記光源側出射部と同軸上に配設されるように、前記照射側接続部が前記光源側接続口部と接続する際に、前記照射側入射部をガイドするガイド部を有し、
前記ガイド部は、前記照射側入射部が挿入される筒部を有することを特徴とする請求項８に記載の内視鏡用光源システム。
【請求項１３】
前記筒部は、前記筒部の外周側から前記筒部の中心側に向かって前記照射側入射部に応力を加えて、前記照射側入射部を位置決め固定する割スリーブを有することを特徴とする請求項１２に記載の内視鏡用光源システム。
【請求項１４】
前記光源モジュールは、前記保持部材を挿入方向に付勢して挿入方向における前記保持部材の位置を位置決めする第１の付勢部材と、前記保持部材を挿入方向に直交する第１の直交方向に付勢して前記第１の直交方向における前記保持部材の位置を位置決めする第２の付勢部材と、前記保持部材を前記挿入方向と前記第１の直交方向とに直交する第２の直交方向に付勢して前記第２の直交方向における前記保持部材の位置を位置決めする第３の付勢部材とをさらに有することを特徴とする請求項１２または請求項１３に記載の内視鏡用光源システム。
【発明の詳細な説明】
【技術分野】
【０００１】
本発明は、光源モジュールと照射モジュールとが組み合わせられることによって、用途に応じた光を出射する内視鏡用光源システムに関する。
【背景技術】
【０００２】
内視鏡などの観察装置は、光源システムを有している。従来、光源システムにおいて、光は、例えばキセノンランプなどのランプ光源から出射され、光ファイバを束ねたバンドルファイバによって導光される構成が一般的に利用されてきた。一方、近年ではＬＤなどの半導体光源と単線の光ファイバを利用した光源システムも利用されてきている。この構成では、光はＬＤなどの光源から出射され、単線の光ファイバによって導光される。そして光は、導光部材の先端部に配設されている光変換部材によって色や光度分布などを変換され、変換された状態で出射される。ＬＤは、狭帯域な光を利用した特殊光観察に適しており、光源システムの小型化や高効率化を実現することが可能となる。
【０００３】
このような光源システムは、光源モジュールと照射モジュールとが組み合わせられることによって、用途に応じた光を出射する。そして、照射モジュールが光源モジュールと接続する際、一般的に光ファイバのコアの直径が微小であるため、単線の光ファイバが用いられる場合に特に照射モジュール側の光ファイバが光源モジュール側の光ファイバと精密に接続することが求められている。
【０００４】
このような接続に関する技術については、例えば特許文献１が開示されている。特許文献１において、光源モジュール側の光ファイバの端部と、照射モジュール側の光ファイバの端部とには、グレーテッドインデックス（ＧＩ）コリメータが配設されている。そして、光源モジュール側の光ファイバの端部から出射された出射光は、ＧＩコリメータによって拡大され、この拡大された出射光が照射モジュール側のＧＩコリメータに入射して収束され、光ファイバに入射する。これにより、光軸ずれの影響が低減され、光ファイバ同士が精密に接続することとなる。
【先行技術文献】
【特許文献】
【０００５】
【特許文献１】特開２０１１−１５２３７０号公報
【発明の概要】
【発明が解決しようとする課題】
【０００６】
特許文献１に開示されている内容は、単線の光ファイバを用いる照射モジュールとして機能する単線ファイバスコープにのみ対応し、バンドルファイバを用いる照射モジュールとして機能するバンドルファイバスコープへの対応を考慮したものでない。よって、光源モジュールにバンドルファイバスコープを組み合わせても、バンドルファイバスコープに対して適切な光学的な接続をできず、互換性を確保できない。  
言い換えると、互いに異なる光学機能を有している照射モジュールは、光源モジュールに対して適切な光学的な接続ができない虞が生じ、各照射モジュールは性能を発揮できない虞が生じる。
【０００７】
本発明は、これらの事情に鑑みてなされたものであり、各照射モジュールが互いに異なる光学機能を有していても性能を発揮できる内視鏡用光源システムを提供することを目的とする。
【課題を解決するための手段】
【０００８】
本発明の内視鏡用光源システムの一態様は、光源モジュールと、前記光源モジュールに機械的に着脱可能な照射モジュールとが組み合わせられることによって、用途に応じた照明光が出射される内視鏡用光源システムであって、前記光源モジュールは、光源光を出射する光源ユニットと、前記光源光の光学特性を変換して１次出射光として出射する光源側出射部と、前記光源側出射部の光軸上に配設され、互いに異なる光学機能を有する様々な種類の前記照射モジュールに対して共通化されている光源側接続口部と、を有し、前記照射モジュールは、前記光源側出射部から出射された前記１次出射光が入射する照射側入射部と、前記照射側入射部が前記光源側出射部と同軸上に配設されて、前記光源側出射部から出射された前記１次出射光が前記照射側入射部に入射するように、前記光源側接続口部と接続する照射側接続部と、前記照射側入射部に入射された前記１次出射光を導光する導光部材と、前記導光部材によって導光された前記１次出射光の光学特性を変換して前記照明光として外部に出射する照射側出射部と、を有し、光軸方向における前記光源側出射部と前記照射側入射部との間の相対距離は、前記光源モジュールに接続する前記照射モジュールに応じて所望に調整される。
【発明の効果】
【０００９】
本発明によれば、各照射モジュールが互いに異なる光学機能を有していても性能を発揮できる内視鏡用光源システムを提供することができる。
【図面の簡単な説明】
【００１０】
【図１Ａ】図１Ａは、本発明の第１の実施形態に係る内視鏡用光源システムの概略図である。
【図１Ｂ】図１Ｂは、第１の光源モジュールが第１の照射モジュールと接続した状態を示す図である。
【図１Ｃ】図１Ｃは、第１の光源モジュールが第２の照射モジュールと接続した状態を示す図である。
【図２Ａ】図２Ａは、第１の実施形態の第１の変形例に係る内視鏡用光源システムの概略図である。
【図２Ｂ】図２Ｂは、第１の光源モジュールが第１の照射モジュールと接続した状態を示す図である。
【図２Ｃ】図２Ｃは、第１の光源モジュールが第２の照射モジュールと接続した状態を示す図である。
【図３Ａ】図３Ａは、第１の実施形態の第２の変形例に係る内視鏡用光源システムの概略図である。
【図３Ｂ】図３Ｂは、図３Ａに示す３Ｂ−３Ｂ線における断面図である。
【図３Ｃ】図３Ｃは、筒部の変形例を示す図である。
【図３Ｄ】図３Ｄは、図３Ｃに示す３Ｄ−３Ｄ線における断面図である。
【図４Ａ】図４Ａは、本発明の第２の実施形態に係る内視鏡用光源システムの概略図である。
【図４Ｂ】図４Ｂは、第１の光源モジュールが第１の照射モジュールと接続した状態を示す図である。
【図４Ｃ】図４Ｃは、第１の光源モジュールが第２の照射モジュールと接続した状態を示す図である。
【発明を実施するための形態】
【００１１】
以下、図面を参照して本発明の実施形態について詳細に説明する。なお、一部の図面では図示の明瞭化のために部材の一部の図示を省略している。  
［第１の実施形態］  
［構成］  
図１Ａと図１Ｂと図１Ｃとを参照して第１の実施形態について説明する。  
［内視鏡用光源システム１０の構成］  
図１Ａに示すような内視鏡用光源システム１０は、光源モジュールと、光源モジュールに機械的に着脱自在な照射モジュールとを有している。図１Ａに示すように、内視鏡用光源システム１０は、例えば、１つの光源モジュール（第１の光源モジュール２０）と、２つの照射モジュール（第１の照射モジュール５０と第２の照射モジュール７０）とにより構成されている。各照射モジュール５０，７０は、例えば光学機能が互いに異なる様々な種類のモジュールとなっている。そして、図１Ａと図１Ｂと図１Ｃとに示すように、第１の照射モジュール５０が第１の光源モジュール２０に取り付けられる際に第２の照射モジュール７０は第１の光源モジュール２０から取り外され、第２の照射モジュール７０が第１の光源モジュール２０に取り付けられる際に第１の照射モジュール５０は第１の光源モジュール２０から取り外されるように、第１の光源モジュール２０と照射モジュール５０，７０とが組み合わせられる。組み合わせによって、用途に応じた照明光が第１の光源モジュール５０と接続している照射モジュールから出射される。そして第１の光源モジュール２０は、第１の照射モジュール５０と第２の照射モジュール７０とに対して、共有及び共通化されており、共通の部材である。
【００１２】
第１の光源モジュール２０は例えば光源装置１１に搭載され、照射モジュール５０，７０は光源装置１１と着脱自在な例えば内視鏡１３に搭載される。
【００１３】
［光源モジュール］  
以下に、図１Ａと図１Ｂと図１Ｃとを参照して、光源モジュールの具体的な構成について、第１の光源モジュール２０を一例に説明する。  
図１Ａと図１Ｂと図１Ｃとに示すように、第１の光源モジュール２０は、例えば、光源光を出射する光源ユニット２１と、光源光の光学特性を変換して１次出射光として出射する光源側出射部２３と、光源側出射部２３の光軸上に配設され、例えば光学機能が互いに異なる様々な種類の照射モジュール５０，７０に対して共通化されている光源側接続口部２５とを有している。
【００１４】
図１Ａと図１Ｂと図１Ｃとに示すような光源ユニット２１は、例えば、光源光であるレーザ光を出射するＬＤを有している。このような光源ユニット２１は、例えば白色光や特定の観察物の可視性を向上することが可能な特殊光を出射する。このため、光源ユニット２１は、図示を省略するが、例えば、４０５ｎｍの波長を有するレーザ光を出射するＬＤと、４４５ｎｍの波長を有するレーザ光を出射するＬＤと、５１５ｎｍの波長を有するレーザ光を出射するＬＤと、６５０ｎｍの波長を有するレーザ光を出射するＬＤとを有している。また光源ユニット２１は、図示を省略するが、これらレーザ光を合波する合波部材と、合波部材によって合波された光を出射する出射部とをさらに有している。例えば、４４５ｎｍ，５１５ｎｍ，６５０ｎｍのレーザ光が合波されることで白色光が生成され、４０５ｎｍ，５１５ｎｍのレーザが合波されることで例えば血管等をコントラストよく観察して例えば癌などを容易に発見するＮＢＩ特殊光が生成され、これら光は光源光として出射される。
【００１５】
また図１Ａと図１Ｂと図１Ｃとに示すように、第１の光源モジュール２０は、光源ユニット２１から出射された光源光を平行光に変換する平行部材２７をさらに有している。このような平行部材２７は、例えば、第１のレンズを有している。平行部材２７は、光源ユニット２１の前方に配設されている。
【００１６】
図１Ａと図１Ｂと図１Ｃとに示すように、光源側出射部２３は、光源側接続口部２５が照射モジュール５０，７０の後述する照射側接続部と接続した際に、１次出射光を照射モジュール５０，７０の所望する部分に集光する集光部材２３ａを有している。このような集光部材２３ａは、例えば第２のレンズを有している。集光部材２３ａは、平行部材２７の前方に配設されている。
【００１７】
平行部材２７の第１のレンズと、集光部材２３ａの第２のレンズとにおいて、光源ユニット２１における図示しない出射部と第２の照射モジュール７０が備える第２の導光部材７５とが、互いに同一のコア径とＮＡを有する光ファイバである場合、出射部から出射される出射光の収束性が保たれつつ、照射モジュール内における光が第２の導光部材７５のＮＡよりも角度の小さい収束光となる関係となるように、１．５＜第２のレンズの焦点距離ｆ２／第１のレンズの焦点距離ｆ１＜２．５が成り立つ。
【００１８】
図１Ａと図１Ｂと図１Ｃとに示すように、光源側接続口部２５は、内視鏡１３のユニバーサルコード１５に配設される接続コネクタ１５ａが着脱し、光源装置１１のレセプタクル部として機能する。光源側接続口部２５が第１の照射モジュール５０に搭載される第１の照射側接続部５３と第２の照射モジュール７０に搭載される第２の照射側接続部７３とに接続可能となるように、光源側接続口部２５は第１の照射側接続部５３と第２の照射側接続部７３とに対して共有され共通化されている。また光源側接続口部２５は、第１の照射側接続部５３と第２の照射側接続部７３とに対して共通の部材である。よって、第１の照射側接続部５３と接続する光源側接続口部２５は、第２の照射側接続部７３と接続する光源側接続口部２５と同一の部位であり、第２の照射側接続部７３と接続する光源側接続口部２５と同じ位置に配設されることとなる。
【００１９】
図１Ａと図１Ｂと図１Ｃとに示すように、光源側接続口部２５は、例えば集光部材２３ａと同軸上に配設されており、集光部材２３ａによって集光された光が集光する位置と同軸上に配設されている。
【００２０】
図１Ａと図１Ｂと図１Ｃとに示すように、光源側接続口部２５は、第１の照射モジュール５０に搭載される第１の照射側入射部５１と第２の照射モジュール７０に搭載される第２の照射側入射部７１とが貫通する貫通孔部２５ａを有している。貫通孔部２５ａは、例えば集光部材２３ａと同軸上に配設されている。
【００２１】
［照射モジュール］  
前記したように、照射モジュールは、図１Ａと図１Ｂと図１Ｃとに示すような第１の照射モジュール５０と第２の照射モジュール７０とを有する。以下に、第１の照射モジュール５０と第２の照射モジュール７０とに共通する部分について簡単に説明する。  
照射モジュール５０，７０は、光源側出射部２３から出射された１次出射光が入射する照射側入射部５１，７１と、照射側入射部５１，７１が光源側出射部２３と同軸上に配設されて、光源側出射部２３から出射された１次出射光が照射側入射部５１，７１に入射するように、光源側接続口部２５と接続する照射側接続部５３，７３とを有している。照射側入射部５１，７１と照射側接続部５３，７３とは、例えば内視鏡１３のユニバーサルコード１５に配設される接続コネクタ１５ａに配設される。  
また照射モジュール５０，７０は、照射側入射部５１，７１に入射された１次出射光を導光する導光部材５５，７５と、導光部材５５，７５によって導光された１次出射光の光学特性を変換して照明光である２次出射光として外部に出射する照射側出射部５７，７７とをさらに有している。導光部材５５，７５は、内視鏡１３のユニバーサルコード１５と操作部１７と軟質な挿入部１９との内部に配設される。照射側出射部５７，７７は、挿入部１９の先端部に配設される。
【００２２】
第１の照射モジュール５０と第２の照射モジュール７０との最大の違いは、それぞれが有する例えば光学機能が互いに異なることであり、具体的にはそれぞれが有する導光部材５５，７５の種類が異なることである。より具体的には、１次出射光が入射する導光部材５５，７５の入射端面のサイズは、照射モジュール毎に異なる。
【００２３】
このため例えば、第１の照射モジュール５０において、第１の導光部材５５は、入射端面のサイズが大きいバンドルファイバ５５ａを有している。バンドルファイバ５５ａは、複数の光ファイバ素線が束ねられることで形成される。このような第１の照射モジュール５０は、バンドルファイバスコープとして機能する。  
また例えば、第２の照射モジュール７０において、第２の導光部材７５は、入射端面のサイズが小さい単線の光ファイバ７５ａを有している。このような第２の照射モジュール７０は、単線ファイバスコープとして機能する。
【００２４】
前記したような第１の照射モジュール５０を搭載する内視鏡１３は、第２の照射モジュール７０を搭載する内視鏡１３とは別体である。
【００２５】
以下に、第１の照射モジュール５０と第２の照射モジュール７０との具体的な構成について説明する。
【００２６】
［第１の照射モジュール５０（バンドルファイバスコープ）］  
図１Ａと図１Ｂとに示すように、第１の照射モジュール５０は、第１の照射側入射部５１と、第１の照射側接続部５３と、第１の導光部材５５と、第１の照射側出射部５７とを搭載する。
【００２７】
図１Ａと図１Ｂとに示すように、第１の照射側入射部５１は、第１の照射側接続部５３が光源側接続口部２５と接続した際に、集光部材２３ａによって集光された１次出射光が入射するガラスロッド５１ａを有している。ガラスロッド５１ａは、バンドルファイバ５５ａの一端部に配設される入射端面と光学的に接続している。ガラスロッド５１ａは、ガラスロッド５１ａの中心部に配設される図示しないコア部と、コア部を覆うように配設されている図示しないクラッド部とを有している。クラッド部の屈折率はコア部の屈折率よりも低くなっているため、１次出射光は、コア部とクラッド部との界面によって反射し、コア部に閉じ込められ、コア部によって導光される。これによりガラスロッド５１ａは、ガラスロッド５１ａの内部に１次出射光を閉じ込めて、１次出射光を漏らすことなくバンドルファイバ５５ａに伝送する。ガラスロッド５１ａの直径は、バンドルファイバ５５ａの直径と略同一となっている。
【００２８】
ガラスロッド５１ａは、１次出射光の光軸に直交する方向の断面における光強度を均一にする。一般的に、レーザ光の光強度は、レーザ光の中心部において強く、中心部から離れるほど弱くなる。このように、レーザ光の光強度は、不均一となっている。この状態でレーザ光がバンドルファイバ５５ａに直接入射すると、バンドルファイバ５５ａにおける各光ファイバに入射する光量はばらつく。ばらつきの傾向は、バンドルファイバ５５ａの他端部（第１の照射側出射部５７）まで伝播される。よって、バンドルファイバ５５ａから出射するレーザ光の光強度は偏りが生じ、照明光として輝度ムラや配光ムラが生じる。しかしながらガラスロッド５１ａによって、１次出射光であるレーザ光は、ガラスロッド５１ａ内において反射を繰り返すため、バンドルファイバ５５ａの入射端面全体にばらつきなく入射する。このためレーザ光の光強度は偏りが解消され均一となる。よって、輝度ムラや配光ムラは、防止される。
【００２９】
図１Ａと図１Ｂとに示すように、第１の照射側入射部５１の一端部側にはガラスロッド５１ａが配設され、第１の照射側入射部５１の他端部側にはガラスロッド５１ａと光学的に接続する第１の導光部材５５の一端部が配設されている。第１の照射側入射部５１の他端部は、第１の照射側接続部５３と連結している。
【００３０】
図１Ａと図１Ｂとに示すように、第１の照射側接続部５３は、光源側接続口部２５と着脱自在に嵌合する。第１の照射側接続部５３は、第１の照射側入射部５１の一端部が貫通孔部２５ａを貫通し、第１の照射側入射部５１の他端部が貫通孔部２５ａに配設されるように、光源側接続口部２５と機械的に接続する。
【００３１】
図１Ａと図１Ｂとに示すように、第１の導光部材５５は、前記したようなバンドルファイバ５５ａを有している。バンドルファイバ５５ａの各光ファイバは、単線の光ファイバ７５ａの中心部に配設される図示しないコア部と、コア部を覆うように配設されている図示しないクラッド部とを有している。クラッド部の屈折率はコア部の屈折率よりも低くなっているため、１次出射光は、コア部とクラッド部との界面によって反射し、コア部に閉じ込められ、コア部によって導光される。これにより光ファイバは、光ファイバの内部に１次出射光を閉じ込めて、１次出射光を漏らすことなく第１の照射側出射部５７に伝送する。光ファイバの直径は、例えば２０μｍ〜７０μｍとなっている。バンドルファイバ５５ａの直径は、例えば数１ｍｍ〜４ｍｍとなっている。
【００３２】
図１Ａに示すように、第１の照射側出射部５７は、第１の照射モジュール５０の他端部に配設され、第１の導光部材５５の他端部と光学的に接続している光変換部材５７ａを有している。光変換部材５７ａは、第１の導光部材５５の他端部から出射された１次出射光を所望の配光及び拡がり角となるような照明光に変換して照射するレンズ系を有している。一般的に、第１の導光部材５５の他端部から出射された光の広がり角は小さいため、光変換部材５７ａはこの広がり角を大きくする。
【００３３】
［第２の照射モジュール７０（単線ファイバスコープ）］  
図１Ａと図１Ｃとに示すように、第２の照射モジュール７０は、第２の照射側入射部７１と、第２の照射側接続部７３と、第２の導光部材７５と、第２の照射側出射部７７とを搭載する。
【００３４】
図１Ａと図１Ｃとに示すように、第２の照射側入射部７１は、第２の照射側接続部７３が光源側接続口部２５と接続した際に、集光部材２３ａによって集光された１次出射光が単線の光ファイバ７５ａに入射するように、集光部材２３ａによって集光された１次出射光を単線の光ファイバ７５ａにさらに集光する集光部材７１ａを有している。集光部材７１ａは、単線の光ファイバ７５ａの一端部と光学的に接続している。単線の光ファイバ７５ａにおいて、図示しないコア部の直径は例えば５０μｍ〜３００μｍとなっている。このため、集光部材７１ａは、位置ずれに伴い発生する光損失を防止する。位置ずれは、例えば、第１の照射モジュール５０側の光軸に対する第１の光源モジュール２０側の光軸のずれと、光軸方向における第１の光源モジュール２０に対する第１の照射モジュール５０のずれとを含む。光損失は、位置ずれによって、例えば、細い単線の光ファイバ７５ａに入射する１次出射光の光量が減ることを示す。
【００３５】
図１Ａと図１Ｃとに示すように、第２の照射側入射部７１の一端部側には、集光部材７１ａと、集光部材７１ａと光学的に接続する第２の導光部材７５の一端部とが配設される。第２の照射側入射部７１の他端部側には、第２の導光部材７５が配設されている。第２の照射側入射部７１の他端部は、第２の照射側接続部７３と連結している。
【００３６】
図１Ａと図１Ｂと図１Ｃとに示すように、第２の照射側入射部７１は、例えば、第１の照射側接続部５３と同じ太さと同じ外形とを有している。第２の照射側入射部７１は、第１の照射側接続部５３よりも長い。
【００３７】
図１Ａと図１Ｃとに示すように、第２の照射側接続部７３は、光源側接続口部２５と着脱自在に嵌合する。第２の照射側接続部７３は、第２の照射側入射部７１の一端部が貫通孔部２５ａを貫通し、第１の照射側入射部５１の他端部が貫通孔部２５ａに配設されるように、光源側接続口部２５と機械的に接続する。
【００３８】
図１Ａと図１Ｂと図１Ｃとに示すように、第２の照射側接続部７３は、第１の照射側接続部５３と同じ長さと同じ太さと同じ外形とを有している。
【００３９】
図１Ａと図１Ｃとに示すように、第２の導光部材７５は、前記したような単線の光ファイバ７５ａを有している。単線の光ファイバ７５ａは、単線の光ファイバ７５ａの中心部に配設される図示しないコア部と、コア部を覆うように配設されている図示しないクラッド部とを有している。コア部の直径は、例えば５０μｍ〜３００μｍとなっている。クラッド部の屈折率はコア部の屈折率よりも低くなっているため、１次出射光は、コア部とクラッド部との界面によって反射し、コア部に閉じ込められ、コア部によって導光される。これにより光ファイバは、光ファイバの内部に１次出射光を閉じ込めて、１次出射光を漏らすことなく第２の照射側出射部７７に伝送する。
【００４０】
図１Ａと図１Ｃとに示すように、第２の照射側出射部７７は、第２の照射モジュール７０の他端部に配設され、単線の光ファイバ７５ａの他端部と光学的に接続している光変換ユニット７７ａを有している。光変換ユニット７７ａは、単線の光ファイバ７５ａの他端部から出射された１次出射光の波長や配光特性を所望に変換し、さらに拡散して照明光として出射する。
【００４１】
［光軸方向における光源側出射部２３と照射側入射部５１，７１との間の相対距離］  
光軸方向における光源側出射部２３と照射側入射部５１，７１との間の相対距離は、第１の光源モジュール２０に接続する照射モジュール５０，７０に応じて所望に調整される。以下に、図１Ｂと図１Ｃとを参照して、第１の照射モジュール５０のために調整される相対距離Ｌ１と、第２の照射モジュール７０のために調整される相対距離Ｌ２とについて説明する。
【００４２】
図１Ｂに示すように、第１の照射モジュール５０において、第１の照射側接続部５３が光源側接続口部２５と接続して、第１の照射モジュール５０が第１の光源モジュール２０に接続した際に、集光部材２３ａの光軸がガラスロッド５１ａの光軸と一致し、ガラスロッド５１ａが集光部材２３ａの集光点よりも前方に配設されるように、本実施形態では相対距離Ｌ１が規定されている。この相対距離Ｌ１は、具体的には、光軸方向における、光源側出射部２３の集光部材２３ａと、集光部材２３ａによって集光された１次出射光が入射する第１の照射側接続部５３のガラスロッド５１ａの入射端面との間の距離を示す。ガラスロッド５１ａの入射端面は、１次出射光が第１の照射モジュール５０に入射する入射部として機能する。第１の照射モジュール５０が第１の光源モジュール２０に接続する際に、集光部材２３ａの位置が予め固定されているため、相対距離Ｌ１が規定されるように、入射端面の位置はこの接続に伴い規定される必要がある。よって本実施形態では、位置が規定されるように、言い換えると相対距離Ｌ１が規定されるように、第１の照射側入射部５１の長さは規定されている。なお詳細には、集光部材２３ａに対するガラスロッド５１ａの入射端面の位置は、第１の照射側入射部５１の長さと、第１の照射側接続部５３と光源側接続口部２５との接続位置とによって規定される。
【００４３】
図１Ｃに示すように、第２の照射モジュール７０において、第２の照射側接続部７３が光源側接続口部２５と接続して、第２の照射モジュール７０が第１の光源モジュール２０に接続した際に、集光部材２３ａの光軸が集光部材７１ａの光軸と一致し、集光部材７１ａが集光部材２３ａの集光点よりも後方に配設されるように、本実施形態では相対距離Ｌ２が調整されている。この相対距離Ｌ２は、具体的には、光軸方向における、光源側出射部２３の集光部材２３ａと、集光部材２３ａによって集光される１次出射光が入射する第２の照射側接続部７３の集光部材７１ａとの間の距離を示す。集光部材７１ａは、１次出射光が第２の照射モジュール７０に入射する入射部として機能する。第２の照射モジュール７０が第１の光源モジュール２０に接続する際に、集光部材２３ａの位置が予め固定されているため、相対距離Ｌ２が規定されるように、集光部材７１ａの位置はこの接続に伴い規定される必要がある。よって本実施形態では、位置が規定されるように、言い換えると相対距離Ｌ２が規定されるように、第２の照射側入射部７１の長さは規定されている。相対距離Ｌ２は、相対距離Ｌ１よりも短くなっている。なお詳細には、集光部材２３ａに対する集光部材７１ａの位置は、第２の照射側入射部７１の長さと、第２の照射側接続部７３と光源側接続口部２５との接続位置とによって規定される。
【００４４】
このように本実施形態では、図１Ａと図１Ｂと図１Ｃとに示すように、照射側接続部５３，７３が光源側接続口部２５と機械的に接続した際に、相対距離Ｌ１，Ｌ２は調整される。特に光軸方向における照射側接続部５３，７３に対する照射側入射部５１，７１の長さが照射モジュール毎に異なることによって、相対距離Ｌ１，Ｌ２は調整される。  
詳細には、第１の照射モジュール５０と第２の照射モジュール７０とに対して共通の部材であり、第１の照射モジュール５０と第２の照射モジュール７０とのどちらが第１の光源モジュール２０と接続しても、第１の光源モジュール２０における集光部材２３ａの位置と光源側接続口部２５の位置とは固定されており不変である。また光源側接続口部２５に対する第１の照射側接続部５３の接続位置は、光源側接続口部２５に対する第２の照射側接続部７３の接続位置と同一である。また第１の照射側接続部５３が光源側接続口部２５と接続した場合と、第２の照射側接続部７３が光源側接続口部２５と接続した場合とにおいて、第１の照射側入射部５１の他端部と第２の照射側入射部７１の他端部とは貫通孔部２５ａに配設される。このため、本実施形態では、第１の照射モジュール５０が第１の光源モジュール２０に接続した場合と第２の照射モジュール７０が第１の光源モジュール２０に接続した場合とでは、集光部材２３ａに対する第１の照射モジュール５０のガラスロッド５１ａの入射端面の位置と、集光部材２３ａに対する集光部材７１ａの位置とが互いに異なっている。詳細には、ガラスロッド５１ａが集光部材２３ａよりも離れ、集光部材７１ａが集光部材２３ａに近づくように、第２の照射側入射部７１は第１の照射側入射部５１よりも長くなっている。このように、本実施形態では、相対距離Ｌ１と相対距離Ｌ２との違いは、第１の照射側入射部５１の長さと第２の照射側入射部７１の長さとの違いである。そして、第１の照射側入射部５１の長さと第２の照射側入射部７１の長さとは、相対距離Ｌ１，Ｌ２を、第１の光源モジュール２０に接続する照射モジュール５０，７０に応じて所望に調整する調整機構として機能する。
【００４５】
このように、第１の照射モジュール５０（バンドルファイバスコープ）が第１の光源モジュール２０に接続した際に、第１の照射側入射部５１が集光部材２３ａの集光位置から離れるように、相対距離Ｌ１は調整されている。また第２の照射モジュール７０（単線ファイバスコープ）が第１の光源モジュール２０に接続した際に、第２の照射側入射部７１が集光部材２３ａの集光位置に近づくように、相対距離Ｌ２は調整されている。
【００４６】
なおバンドルファイバスコープと単線ファイバスコープとのいずれかが第１の光源モジュール２０に接続した際は常に、照射側入射部５１，７１に入射する１次出射光の光束径が単線の光ファイバ７５ａのコア径よりも大きくまた略５ｍｍ以下となるように、相対距離Ｌ１，Ｌ２が調整されている。
【００４７】
［第１の照射モジュール５０における光学特性］  
前記したように第１の照射モジュール５０（バンドルファイバスコープ）は、バンドルファイバ５５ａを有している。このため、第１の照射モジュール５０に入射する１次出射光の位置ずれによって生じる光量の変動は小さい。位置ずれは、例えば、第１の照射モジュール５０側の光軸に対する第１の光源モジュール２０側の光軸のずれと、光軸方向における第１の光源モジュール２０に対する第１の照射モジュール５０のずれとを含む。
【００４８】
しかしながら第１の照射モジュール５０において、集光部材２３ａから出射する１次出射光の光強度は不均一となっており、レーザ光の場合、強度分布はガウス分布状となる。この場合、バンドルファイバ５５ａにおける各光ファイバに入射する光量はばらつく。ばらつきの傾向は、バンドルファイバ５５ａの他端部（出射部）まで伝播される。よって、バンドルファイバ５５ａから出射するレーザ光の光強度は偏りが生じ、照明光として輝度ムラや配光ムラが生じる。つまり照明光の配光分布には、不均一が生じる。また、配光分布に不均一が生じると、１次出射光の光強度が高い部分が発生する。この部分は、発熱によりファイバを束ねる接着剤を焼いてしまう虞が生じる。このため強度分布は、均一にする必要がある。
【００４９】
そこで第１の照射モジュール５０は、強度分布を均一にするガラスロッド５１ａを搭載している。ガラスロッド５１ａにおいて、ガラスロッド５１ａに入射する１次出射光はガラスロッド５１ａのコア部とクラッド部との界面によって反射している。そして１次出射光は、ガラスロッド５１ａ内において反射を繰り返すため、１次出射光の強度分布は均一化され、バンドルファイバ５５ａの入射端面全体にばらつきなく入射する。そして入射端面に入射する１次出射光の強度分布は、均一化されることとなる。なお反射回数が多いほど、強度分布は均一となる。なお例えばランプ光源の場合では、収束角の大きい収束光が入射端面に入射することが一般的である。また、第１の照射モジュール５０に対しては、ガラスロッド５１ａ内で光線を反射させることが可能な収束光が好適である。
【００５０】
［第２の照射モジュール７０における光学特性］  
前記したように第２の照射モジュール７０（単線ファイバスコープ）において、コア部の直径は例えば５０μｍ〜３００μｍとなっている。このため、単線の光ファイバ７５ａの一端部における入射端面と、この入射端面に入射する１次出射光とにおいて、入射端面に対する１次出射光の入射位置は、精度よく位置決めされることが重要となる。
【００５１】
光源側接続口部２５などに外力などが加わると、例えば、第１の光源モジュール２０側の光軸が第２の照射モジュール７０側の光軸に対してずれ、光軸方向において第２の照射モジュール７０が第１の光源モジュール２０に対してずれるといった、微細な位置ずれが発生する虞が生じる。これにより入射位置がずれ、入射する光量が変動し、結果として照明光の明るさが安定しない虞が生じる。光軸におけるずれを抑えるためには、１次出射光は拡大されることが望ましい。また光軸方向におけるずれを抑えるためには、１次出射光は平行光であることが望ましい。また、実際には、第１の光源モジュール２０における実装精度等の制約により、集光部材２３ａから出射される出射光の光軸は、理想的な光軸に対してずれが生じる。そして、光軸方向において集光部材２３ａと集光部材７１ａとの間の相対距離Ｌ２が長いほど、集光部材７１ａに対する１次出射光の入射位置のずれ量が大きくなり、接続効率が低下する。このため集光部材２３ａと集光部材７１ａとの相対距離Ｌ２は可能な限り近いほうが好適である。
【００５２】
そこで、光源モジュール２０は平行部材２７を搭載しており、相対距離Ｌ２が規定される。平行部材２７よって、１次出射光は拡大されて平行光に変換されている。相対距離Ｌ２によって、入射位置は精度よく位置決めされ、また集光部材２３ａと集光部材７１ａとの間の相対距離Ｌ２が短くなり、入射位置のずれ量が小さくなり、接続効率の低下が防止される。
【００５３】
［光学特性のまとめ］  
一般的に、第２の照射モジュール７０に入射する最適な１次出射光は、第１の照射モジュール５０に入射する最適な１次出射光とはならず、１次出射光が第１の照射モジュール５０と第２の照射モジュール７０とに対して互換性を確保することは容易ではない。  
しかしながら本実施形態では、光源ユニット２１は、ランプ光源から出射されるランプ光よりも収束角が小さいレーザ光を出射するＬＤを有している。また、第１の照射側入射部５１の長さと第２の照射側入射部７１の長さとによって、相対距離Ｌ１，Ｌ２が第１の照射モジュール５０と第２の照射モジュール７０とによって可変し調整されている。そして、１次出射光の入射位置であるガラスロッド５１ａの入射端面の位置と集光部材７１ａの位置とが調整される。これにより、１次出射光は、第１の照射モジュール５０と第２の照射モジュール７０とに対して容易に互換性を確保することとなる。
【００５４】
［作用］  
［第１の光源モジュール２０と第１の照射モジュール５０（バンドルファイバスコープ）との接続］  
第１の照射側接続部５３が光源側接続口部２５と接続した際、第１の照射側入射部５１の長さと、第１の照射側接続部５３と光源側接続口部２５との機械的な接続とによって、集光部材２３ａの光軸がガラスロッド５１ａの光軸と一致し、ガラスロッド５１ａが集光部材２３ａの集光点よりも前方に配設され、相対距離Ｌ１が規定されるように、集光部材２３ａに対するガラスロッド５１ａの入射端面の位置が規定される。
【００５５】
光源光は、光源ユニット２１のＬＤから出射され、平行部材２７によって平行光に変換される。そして平行光は、集光部材２３ａによって集光部材２３ａの集光点よりも前方に配設されるガラスロッド５１ａに集光され、ガラスロッド５１ａに入射する。ガラスロッド５１ａに入射する１次出射光の光強度は、不均一となっている。
【００５６】
しかしながら、本実施形態では、１次出射光は、ガラスロッド５１ａ内において反射を繰り返すため、１次出射光の強度分布は均一化され、バンドルファイバ５５ａの入射端面全体にばらつきなく入射する。このため、光強度が均一化された状態で、１次出射光はバンドルファイバ５５ａに入射する。この状態で、１次出射光は、バンドルファイバ５５ａによって第１の照射側出射部５７まで導光される。そして１次出射光は、光変換部材５７ａによって照明光として出射される。
【００５７】
［第１の光源モジュール２０と第２の照射モジュール７０（単線ファイバスコープ）との接続］  
第２の照射側接続部７３が光源側接続口部２５と接続した際、第２の照射側入射部７１の長さと、第２の照射側接続部７３と光源側接続口部２５との機械的な接続とによって、集光部材２３ａの光軸が集光部材７１ａの光軸と一致し、集光部材７１ａが集光部材２３ａの集光点よりも後方に配設され、相対距離Ｌ２は規定されるように、集光部材２３ａに対する集光部材７１ａの位置が規定される。
【００５８】
光源光は、光源ユニット２１のＬＤから出射され、平行部材２７によって平行光に変換される。そして平行光は、集光部材２３ａによって集光部材２３ａの集光点よりも後方に配設される集光部材７１ａに集光され、集光部材７１ａに入射する。
【００５９】
前記において、光源側接続口部２５などに外力などが加わると、例えば、第１の光源モジュール２０側の光軸が第２の照射モジュール７０側の光軸に対してずれ、光軸方向において第２の照射モジュール７０が第１の光源モジュール２０に対してずれるといった、微細な位置ずれが発生する虞が生じる。これにより入射位置がずれ、入射する光量が変動し、結果として照明光の明るさが安定しない虞が生じる。
【００６０】
しかしながら平行部材２７が配設され、相対距離Ｌ２が規定される。これにより光軸におけるずれの影響が抑えられ、光軸方向におけるずれの影響が抑えられる。
【００６１】
また第１の光源モジュール２０における実装精度等の制約により、集光部材２３ａから出射される出射光の光軸は、理想的な光軸に対してずれが生じる。しかしながら相対距離Ｌ２は短いため、集光部材７１ａに対する１次出射光の入射位置のずれ量が大きくなり、接続効率が低下することは、防止される。
【００６２】
この状態で、１次出射光は単線光ファイバに入射する。１次出射光は、単線光ファイバによって第２の照射側出射部７７まで導光される。そして１次出射光は、光変換ユニット７７ａによって照明光として出射される。
【００６３】
［効果］  
このように本実施形態では、光源側接続口部２５は、第１の光源モジュール２０に対応する互いに異なる光学特性を有する様々な種類の照射モジュールである例えば第１の照射モジュール５０と第２の照射モジュール７０とに対して共通化されている。そして本実施形態では、相対距離Ｌ１，Ｌ２は、第１の光源モジュール２０に接続する照射モジュール５０，７０に応じて所望に調整されている。よって本実施形態では、各照射モジュール５０，７０が互いに異なる光学機能を有していても、照射モジュール５０，７０は性能を発揮できる。
【００６４】
第１の照射モジュール５０がバンドルファイバスコープの場合、第１の照射側入射部５１の長さと、第１の照射側接続部５３と光源側接続口部２５との機械的な接続とによって、集光部材２３ａの光軸がガラスロッド５１ａの光軸と一致し、ガラスロッド５１ａが集光部材２３ａの集光点よりも前方に配設され、相対距離Ｌ１が規定されるように、集光部材２３ａに対するガラスロッド５１ａの入射端面の位置が規定される。これにより、１次出射光をガラスロッド５１ａに入射でき、ガラスロッド５１ａによって光強度を均一にでき、光強度が均一化された状態で１次出射光をバンドルファイバ５５ａに入射させることができる。よって、本実施形態では、照明光の配光分布に不均一が生じることを防止でき、発熱を防止でき、対象物をばらつきなく照射できる。
【００６５】
また第２の照射モジュール７０が単線ファイバスコープの場合、第２の照射側入射部７１の長さと、第２の照射側接続部７３と光源側接続口部２５との接続とによって、集光部材２３ａの光軸が集光部材７１ａの光軸と一致し、集光部材７１ａが集光部材２３ａの集光点よりも後方に配設され、相対距離Ｌ２が規定されるように、集光部材２３ａに対する集光部材７１ａの位置が規定される。これにより、光源側接続口部２５などに外力などが加わっても、第１の光源モジュール２０側の光軸が第２の照射モジュール７０側の光軸に対してずれ、光軸方向において第２の照射モジュール７０が第１の光源モジュール２０に対してずれるといった、ずれの影響を抑えることができる。よって、入射位置がずれることを防止でき、入射する光量が変動することを防止でき、照明光の明るさを安定できる。
【００６６】
また本実施形態では、第１の照射側接続部５３が光源側接続口部２５と機械的に接続した際と、第２の照射側接続部７３が光源側接続口部２５と機械的に接続した際に、相対距離Ｌ１，Ｌ２が調整される。これにより、本実施形態では、手間をかけずに相対距離Ｌ１，Ｌ２を調整できる。
【００６７】
特に本実施形態では、光軸方向における照射側入射部５１，７１の長さが照射モジュール５０，７０毎に異なっており、これにより相対距離Ｌ１，Ｌ２が調整されている。よって、本実施形態では、手間をかけずに相対距離Ｌ１，Ｌ２を調整できる。
【００６８】
また本実施形態では、集光部材２３ａは、１次出射光を照射側入射部５１，７１の所望する部分に集光する。これにより、本実施形態では、第１の照射モジュール５０と第２の照射モジュール７０とのどちらであっても、１次出射光を確実にガラスロッド５１ａまたは集光部材７１ａに集光できる。
【００６９】
また本実施形態では、第１の照射モジュール５０（バンドルファイバスコープ）が第１の光源モジュール２０に接続した場合、ガラスロッド５１ａが集光部材２３ａから離れるように相対距離Ｌ１が調整される。これにより、本実施形態では、１次出射光をガラスロッド５１ａの入射端面全体に入射させることができる。
【００７０】
また本実施形態では、第２の照射モジュール７０（単線ファイバスコープ）が第１の光源モジュール２０に接続した場合、集光部材７１ａが集光部材２３ａに近づくように相対距離Ｌ２が調整される。これにより、本実施形態では、入射位置を精度よく位置決めでき、入射位置のずれ量を小さくでき、接続効率の低下を防止できる。
【００７１】
また本実施形態では、第１の照射モジュール５０（バンドルファイバスコープ）と第２の照射モジュール７０（単線ファイバスコープ）とのいずれかが第１の光源モジュール２０に接続した際は常に、照射側入射部５１，７１に入射する１次出射光の光束径が単線の光ファイバ７５ａのコア径よりも大きくまた略５ｍｍ以下となるように、相対距離Ｌ１，Ｌ２が調整されている。これにより、第１の光源モジュール２０を小型にでき、単線の光ファイバ７５ａに光を入射できるという一定の効果を得ることができる。
【００７２】
また本実施形態では、１．５＜第２のレンズの焦点距離ｆ２／第１のレンズの焦点距離ｆ１＜２．５となっている。これにより、光源光の出射ＮＡよりも照射モジュール側への入射ＮＡを小さくすることで光ファイバの許容入射ＮＡに対して余裕を持たせ、角度のずれによる結合効率の低下を緩和することができる。
【００７３】
なお、本実施形態では、集光部材７１ａが集光部材２３ａの集光点よりも後方に配設されているが、これに限定される必要はない。集光部材７１ａは、集光部材２３ａの集光点よりも前方に配設されてもよい。
【００７４】
また本実施形態では、二種類の照射モジュール（バンドルファイバスコープと単線ファイバスコープ）を用いて説明をしたが、照射モジュール５０，７０の種類はこれに限定されない。  
また本実施形態では、１種類の第１の光源モジュール２０を用いて説明をしたが、第１の光源モジュール２０以外に、第１の光源モジュール２０とは光学的に異なる第２の光源モジュールが配設されていてもよい。第２の光源モジュールは、例えば、光源光としてＬＥＤ光を出射してもよい。  
また例えば、バンドルファイバ５５ａの直径やガラスロッド５１ａの直径などが異なる複数の種類の第１の照射モジュール５０（バンドルファイバスコープ）において、各第１の照射モジュール５０の相対距離Ｌ１が調整されてもよいし、平均的に光強度が均一となる位置にガラスロッド５１ａが配設されてもよい。
【００７５】
［第１の変形例］  
［構成］  
図２Ａと図２Ｂと図２Ｃとに示すように、本変形例では、光源側接続口部２５が照射側接続部５３，７３と接続した際に、光軸方向における光源側接続口部２５に対する照射側接続部５３，７３の接続位置は、照射モジュール５０，７０毎に異なっている。つまり光源側接続口部２５に対する第１の照射側接続部５３の接続位置は、光源側接続口部２５に対する第２の照射側接続部７３の接続位置とは異なる。これにより、相対距離Ｌ１，Ｌ２が調整される。
【００７６】
このように図２Ａと図２Ｂと図２Ｃとに示すように、本変形例では、光源側接続口部２５に対する第１の照射側接続部５３の接続位置と光源側接続口部２５に対する第２の照射側接続部７３の接続位置とが、相対距離Ｌ１，Ｌ２を、第１の光源モジュール２０に接続する照射モジュール５０，７０に応じて所望に調整する調整機構として機能する。
【００７７】
このため、図２Ａと図２Ｂと図２Ｃとに示すように、光源側接続口部２５は、第１の照射側接続部５３が着脱自在に接続する第１の接続口部２５ｂと、第２の照射側接続部７３が着脱自在に接続し、第１の接続口部２５ｂよりも細い第２の接続口部２５ｃとを有している。第１の接続口部２５ｂの中心軸は、第２の接続口部２５ｃの中心軸と同軸上に配設されている。第１の接続口部２５ｂは、光源側接続口部２５の中心軸方向において、第２の接続口部２５ｃと連通している。第１の接続口部２５ｂは、第２の接続口部２５ｃよりも外部側に配設されており、第２の接続口部２５ｃよりも集光部材２３ａから離れて配設されている。
【００７８】
図２Ａと図２Ｂと図２Ｃとに示すように、第１の照射側入射部５１は、第２の入射側接続部７１と同じ長さを有している。第１の照射側入射部５１と第２の照射側入射部７１とは、第２の接続口部２５ｃよりも細い。
【００７９】
例えば、第１の照射側接続部５３と第２の照射側接続部７３とは円柱形状を有しており、第１の接続口部２５ｂと第２の接続口部２５ｃとは円筒形状を有している。
【００８０】
図２Ａと図２Ｂと図２Ｃとに示すように、第１の接続口部２５ｂは第２の接続口部２５ｃよりも太いため、第１の接続口部２５ｂと第２の接続口部２５ｃとの境界部分に、平面状且つリング状の第１の端面２５ｄが形成される。第１の端面２５ｄは、光源側接続口部２５の中心軸に対して直交する方向に沿って配設されている。第１の端面２５ｄは、第１の照射側接続部５３が第１の接続口部２５ｂと接続した際に、第１の照射側接続部５３の先端面が第１の端面２５ｄに当接することによって、第１の照射側接続部５３が第１の接続口部２５ｂを挿通して第２の接続口部２５ｃに挿入されることを防止するストッパー面として機能する。また第１の端面２５ｄは、第１の照射側接続部５３が第１の接続口部２５ｂと接続した際に、第１の照射側接続部５３の先端面が第１の端面２５ｄに当接することによって、集光部材２３ａの光軸がガラスロッド５１ａの光軸と一致し、ガラスロッド５１ａが集光部材２３ａの集光点よりも前方に配設され、相対距離Ｌ１が規定されるように、第１の照射側入射部５１を位置決めする。
【００８１】
また図２Ａと図２Ｂと図２Ｃとに示すように、第２の接続口部２５ｃの先端部２５ｅは、内側フランジ部として機能するように、中心軸に向かって折れ曲がっている。先端部２５ｅの内側端面は、平面状且つリング状に形成されており、光源側接続口部２５の中心軸に対して直交する方向に沿って配設されている。内側端面は、第２の照射側接続部７３が第２の接続口部２５ｃと接続した際に、第２の照射側接続部７３の先端面が内側端面に当接することによって、第２の照射側接続部７３が第２の接続口部２５ｃを挿通することを防止するストッパー面として機能する。また内側端面は、第２の照射側接続部７３が第２の接続口部２５ｃと接続した際に、第２の照射側接続部７３の先端面が内側端面に当接することによって、集光部材２３ａの光軸が集光部材７１ａの光軸と一致し、集光部材７１ａが集光部材２３ａの集光点よりも後方に配設され、相対距離Ｌ２は規定されるように、第２の照射側入射部７１を位置決めする。
【００８２】
［効果］  
本変形例では、第２の照射モジュール７０（単線ファイバスコープ）においても、光源側接続口部２５から集光部材７１ａまでの距離を短くすることが可能となる。また、本変形例では、光源側接続口部２５などに外力などが加わった場合、光源側接続口部２５を支点として集光部材７１ａの光軸がずれることを抑えるが可能であり、光結合効率をさらに向上できる。
【００８３】
［第２の変形例］  
［構成］  
図３Ａにおいて、第２の照射モジュール７０を一例に用いているが、第１の照射モジュール５０についても、同様である。  
図３Ａと図３Ｂとに示すように、第１の光源モジュール２０は、光源ユニット２１と平行部材２７と光源側出射部２３とが固定されるように光源ユニット２１と平行部材２７と光源側出射部２３とを一体に保持する保持部材２９をさらに有している。保持部材２９は、鏡枠として機能し、光源ユニット２１と平行部材２７と光源側出射部２３とを保持部材２９の内部にて保持している。
【００８４】
この図３Ａと図３Ｂとに示すように、保持部材２９は、照射側入射部５１，７１が光源側出射部２３と同軸上に配設されるように、照射側接続部５３，７３が光源側接続口部２５と接続する際に、照射側入射部５１，７１をガイドするガイド部２９ａをさらに有している。このガイド部２９ａは、照射側入射部５１，７１が挿入され、照射側入射部５１，７１が嵌合する筒部２９ｃを有している。筒部２９ｃは、挿入方向において、保持部材２９の内部と連通している。筒部２９ｃの中心軸は、集光部材２３ａの中心軸と同軸上に配設されている。筒部２９ｃの内径及び内形は、照射側入射部５１，７１の外径と外形と同じである。筒部２９ｃは、筒部２９ｃの一端部に配設され、照射側入射部５１，７１が筒部２９ｃに挿入されるための挿入開口部２９ｄを有している。挿入開口部２９ｄは、挿入方向において、保持部材２９の内部に向かうに従って徐々に狭くなっている。挿入開口部２９ｄは、例えば光源側接続口部２５と第２の照射側接続部７３との接続に伴い発生する入射端面における光軸ずれを考慮して、例えば第２の照射側入射部７３の外径よりも広くなっている。また挿入開口部２９ｄの最小径は、挿入の妨げにならない範囲で、例えば第２の照射側入射部７１の外径に近似している。この点は、第１の照射側入射部５１についても同様である。
【００８５】
また図３Ａと図３Ｂとに示すように、第１の光源モジュール２０は、保持部材２９を挿入方向に付勢して挿入方向における保持部材２９の位置を位置決めする第１の付勢部材３１ａと、保持部材２９を挿入方向に直交する第１の直交方向に付勢して第１の直交方向における保持部材２９の位置を位置決めする第２の付勢部材３１ｂと、保持部材２９を挿入方向と第１の直交方向とに直交する第２の直交方向に付勢して第２の直交方向における保持部材２９の位置を位置決めする第３の付勢部材３１ｃとをさらに有している。第１の付勢部材３１ａと第２の付勢部材３１ｂと第３の付勢部材３１ｃとは、例えば、巻きばねを有している。第１の付勢部材３１ａの一端部は第１の光源モジュール２０の外装体２０ａの内周面に固定されており、第１の付勢部材３１ａの他端部は保持部材２９の外周面に固定されている。この点は、第２の付勢部材３１ｂと第３の付勢部材３１ｃとについても同様である。第１の付勢部材３１ａは、集光部材２３ａの中心軸と同軸上に配設されている。第２の付勢部材３１ｂは、第１の直交方向において保持部材２９の両側に配設されている。第２の付勢部材３１ｂ同士は、同軸上に配設されている。第３の付勢部材３１ｃは、第２の直交方向において保持部材２９の両側に配設されている。第３の付勢部材３１ｃ同士は、同軸上に配設されている。
【００８６】
［効果］  
本変形例では、ガイド部２９ａによって、照射側入射部５１，７１を光源側出射部２３と同軸上に容易に配設できる。また本変形例では、筒部２９ｃによって、照射側入射部５１，７１を外部から保護できる。
【００８７】
また本変形例では、第１，２，３の付勢部材３１ａ，３１ｂ，３１ｃによって、照射側入射部５１，７１に対して、光源ユニット２１と平行部材２７と光源側出射部２３と含む保持部材２９の位置を調整できる。そして、第１，２，３の付勢部材３１ａ，３１ｂ，３１ｃによって、照射側入射部５１，７１が筒部２９ｃに挿入される際、保持部材２９が３方向に移動可能となり、保持部材２９と照射側入射部５１，７１と筒部２９ｃとが挿入に伴い傷つけあうことを防止できる。そして、３方向において光結合効率を高めることができる。
【００８８】
なお本変形例では、照射モジュール５０，７０の光学機能に係らず、照射側入射部５１，７１がガイド部２９ａに挿入されるため、照射側入射部５１，７１の外形及び外径は互いに同一であることが好適である。また相対距離Ｌ１，Ｌ２が最も長い照射モジュールに合わせて、ガイド部２９ａの長さが調整されることが好適である。
【００８９】
また、図３Ｃに示すように、筒部２９ｃは、筒部２９ｃの他端部に配設されている筒側当接面２９ｇを有していてもよい。筒側当接面２９ｇは、相対距離Ｌ２が最も短いものとすれば、第２の照射側接続部７３が筒部２９ｃに挿入された際に、第２の照射側接続部７３の先端面が筒側当接面２９ｇに当接することによって、第２の照射側入射部７１が保持部材２９の内部に挿入されることを防止するストッパー面として機能する。第２の照射側接続部７３の先端面が筒側当接面２９ｇに当接した際に、相対距離Ｌ１が規定される。
【００９０】
これにより本変形例では、確実に最も短い相対距離（この例ではＬ２）を規定できる。
【００９１】
また図３Ｃと図３Ｄとに示すように筒部２９ｃは、筒部２９ｃの外周側から筒部２９ｃの中心側に向かって照射側入射部５１，７１に応力を加えて、照射側入射部５１，７１を位置決め固定する割スリーブ２９ｈを有していてもよい。応力のために、割スリーブ２９ｈの内径は、照射側入射部５１，７１の外径よりも微小に小さくなっている。割スリーブ２９ｈは、割スリーブ２９ｈの中心軸に対して直交する方向において、Ｃ字形状の断面を有している。
【００９２】
これにより本変形例では、割スリーブ２９ｈによって、照射側入射部５１，７１と割スリーブ２９ｈとの嵌めあいによるがたの影響を抑えることができ、照射側入射部５１，７１を位置決め固定でき、集光部材２３ａに対する照射側入射部５１，７１の位置ずれを防止でき、光結合効率を高めることができる。
【００９３】
［第２の実施形態］  
図４Ａと図４Ｂと図４Ｃとを参照して、第１の実施形態とは異なる点のみ記載する。  
本実施形態では、光源側接続口部２５に対する第１の照射側接続部５３の接続位置は、光源側接続口部２５に対する第２の照射側接続部７３の接続位置と同一である。第２の照射側接続部７３は、第１の照射側接続部５３と同じ長さと同じ太さと外形とを有している。  
本実施形態では、第１の照射側入射部５１は、第２の照射側入射部７１と同じ長さと同じ太さと同じ外形とを有している。
【００９４】
第１の照射モジュール５０は、第１の照射モジュール５０である旨の情報を記録している第１の記録部５９を有している。第１の照射側接続部５３が光源側接続口部２５と接続した際に、第１の記録部５９は情報を第１の光源モジュール２０に配設されている判別部３３に伝送する。  
第２の照射モジュール７０は第２の照射モジュール７０である旨の情報を記録している第２の記録部７９を有している。第２の照射側接続部７３が光源側接続口部２５と接続した際に、第２の記録部７９は情報を第１の光源モジュール２０に配設されている判別部３３に伝送する。  
このように、各照射モジュール５０，７０は、各照射モジュール５０，７０である旨の情報を記録している記録部５９，７９を有している。そして各照射モジュール５０，７０が第１の光源モジュール２０と接続した際に、第１の光源モジュール２０に接続した照射モジュール５０，７０の種類（光学機能）を第１の光源モジュール２０が判別できるように、各照射モジュール５０，７０は記録部５９，７９から第１の光源モジュール２０に情報を伝送する。
【００９５】
第１の光源モジュール２０は、第１の光源モジュール２０と接続している各照射モジュール５０，７０を判別する判別部３３をさらに有している。判別部３３は、記録部５９，７９に記録されている情報を基に、第１の光源モジュール２０に接続している照射モジュールが第１の照射モジュール５０であるか第２の照射モジュール７０であるかを判別する。
【００９６】
また第１の光源モジュール２０は、判別部３３の判別結果を基に、後述する移動部３７を制御する制御部３５をさらに有している。また制御部３５は、判別部３３の判別結果を基に、光源ユニット２１が駆動するように光源ユニット２１を制御してもよい。
【００９７】
本実施形態では、第１の光源モジュール２０は、光源側接続口部２５が照射側接続部５３，７３と接続した際に、第１の光源モジュール２０に接続する照射モジュール５０，７０に応じて相対距離Ｌ１，Ｌ２が調整されるように、光源側出射部２３を第１の光源モジュール２０に接続した照射モジュール５０，７０に応じて光軸方向に移動させる移動部３７をさらに有している。移動部３７は、制御部３５によって制御されており、前記した判別結果を基に、各照射モジュール５０，７０に応じて光源側出射部２３を移動させる。移動部３７は、光源側出射部２３のみならず光源側出射部２３と平行部材２７と光源ユニット２１とを１つのユニットとして移動させてもよい。このような移動部３７は、例えば、ステッピングモータを有している。このように移動部３７は、相対距離Ｌ１，Ｌ２を、第１の光源モジュール２０に接続する照射モジュール５０，７０に応じて所望に調整する調整機構として機能する。
【００９８】
［効果］  
本実施形態では、第１の照射モジュール５０と第２の照射モジュール７０とにおいて、照射側入射部５１，７１を共通化でき、照射側接続部５３，７３を共通化できる。これにより、本実施形態では、光源側接続口部２５や、照射モジュール５０，７０を保管するケースや、照射モジュール５０，７０を洗浄する洗浄機も、照射モジュール５０，７０全てに対して共通化及び互換性を持つことができる。
【００９９】
また本実施形態では、相対距離Ｌ１，Ｌ２や集光部材２３ａに対するガラスロッド５１ａの入射端面の位置や集光部材２３ａに対する集光部材７１ａの位置は、照射モジュール５０，７０の種類（光学機能）に応じて異なる。この場合においても、本実施形態では、これら距離や位置を移動部３７によって微細に調整でき、各照射モジュール５０，７０が互いに異なる光学機能を有していても、各照射モジュール５０，７０は性能を十分且つ容易に発揮できる。
【０１００】
また本実施形態では、記録部５９，７９と判別部３３と制御部３５とによって、照射モジュール５０，７０が第１の光源モジュール２０に接続した際に、照射モジュール５０，７０に対応して相対距離Ｌ１，Ｌ２を調整できる。
【０１０１】
なお移動部３７は、制御部３５によって制御されて移動するが、これに限定される必要はなく、手動によって移動してもよい。
【０１０２】
また本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【０１０３】
１０…内視鏡用光源システム、２０…第１の光源モジュール、２１…光源ユニット、２３…光源側出射部、２３ａ…集光部材、２５…光源側接続口部、２７…平行部材、５０…第１の照射モジュール、５１…第１の照射側入射部、５３…第１の照射側接続部、５５…第１の導光部材、５７…第１の照射側出射部、７０…第２の照射モジュール、７１…第２の照射側入射部、７３…第２の照射側接続部、７５…第２の導光部材、７７…第２の照射側出射部。
【図１Ａ】
2015136545.tif 000003
【図１Ｂ】
2015136545.tif 000004
【図１Ｃ】
2015136545.tif 000005
【図２Ａ】
2015136545.tif 000006
【図２Ｂ】
2015136545.tif 000007
【図２Ｃ】
2015136545.tif 000008
【図３Ａ】
2015136545.tif 000009
【図３Ｂ】
2015136545.tif 000010
【図３Ｃ】
2015136545.tif 000011
【図３Ｄ】
2015136545.tif 000012
【図４Ａ】
2015136545.tif 000013
【図４Ｂ】
2015136545.tif 000014
【図４Ｃ】
2015136545.tif 000015